(57)【要約】【課題】低コストの機構により、転写残トナーの現像部での回収能力を向上させることができる作像装置を提供する。【解決手段】感光体１の周囲に、帯電手段２、露光手段Ｌ、現像手段６、転写手段９を配置した作像装置において、帯電手段２の下流側で、かつ露光位置Ｐの上流側に転写残トナー像を散らすトナー散らし部材８を設けた。【選択図】　　　　図１
2004053844.tif 000002
【特許請求の範囲】
【請求項１】
感光体の周囲に、帯電手段、露光手段、現像手段、転写手段を配置した作像装置において、帯電手段の下流側で、かつ露光位置の上流側に転写残トナー像を散らすトナー散らし部材を設けたことを特徴とする作像装置。
【請求項２】
請求項１記載の作像装置において、トナー散らし部材は、本体に対して着脱自在であり、支持体とその両側に取り付けた毛ブラシから構成されることを特徴とする作像装置。
【発明の詳細な説明】
【０００１】
【発明の属する技術分野】
本発明は、電子写真方式を利用した複写機、プリンタ等の画像形成装置の主要部をなす作像装置に関し、特に現像部における転写残トナーの回収技術に関するものである。
【０００２】
【従来の技術】
電子写真方式を利用した複写機、プリンタ等の画像形成装置においては、感光体（像担持体）と、その周囲の電子写真プロセス手段からなる作像装置が設けられている。この作像装置において、現像部による転写残トナーの回収に関連する従来技術として、特開平５−２４１４２３号公報が存在する。
【０００３】
該公報には、像担持体と相対摩擦する導電性接触子に電圧を印加し残留トナーを撹乱すると共に、像担持体を所定の極性に帯電するという技術開示がある。この公報の接触子はブラシ状のものではなく、表面層が含フッ素樹脂からなる面を有するローラ状のもので、残留トナー撹乱と同時に帯電するものである。
【０００４】
【発明が解決しようとする課題】
しかしながら、特開平５−２４１４２３号公報に示された技術は、撹乱同時帯電という一見利便性があるように見える反面、高価な含フッ素樹脂を使用しているので、トナー撹乱性能が劣化した場合メンテ費用が嵩むという欠点がある。また、像担持体に均一の帯電が困難になるという欠点もある。
【０００５】
そこで本発明は、従来技術の問題点を解決し、低コストの機構により、転写残トナーの現像部での回収能力を向上させることができる作像装置を提供することを目的とする。
【０００６】
【課題を解決するための手段】
上記目的を達成するために、請求項１記載の発明は、感光体の周囲に、帯電手段、露光手段、現像手段、転写手段を配置した作像装置において、帯電手段の下流側で、かつ露光位置の上流側に転写残トナー像を散らすトナー散らし部材を設けた作像装置を最も主要な特徴とする。
【０００７】
請求項２記載の発明は、請求項１記載の作像装置において、トナー散らし部材は、本体に対して着脱自在であり、支持体とその両側に取り付けた毛ブラシから構成される作像装置を主要な特徴とする。
【０００８】
【発明の実施の形態】
以下、図面により本発明の実施の形態を詳細に説明する。図１は本発明の実施の形態に係る作像装置の構成図である。本作像装置において、感光体１は、一定電位に帯電し、光の照射量に応じて電位を低下させ画像を形成する。帯電ブラシローラ２は、感光体１を一定電位に帯電する。現像ローラ３は、感光体１上に形成された静電潜像部、すなわち露光手段Ｌにより光が照射されて電位が低下した部分に、トナーを供給してトナー像を形成する。トナー補給ローラ４は、現像ローラ３にトナーを供給する。
【０００９】
アジテータ５は、トナータンク内のトナーを攪拌し、固まるのを防ぐと同時に、トナーの偏りを防止する。現像ブレード６は、現像ローラ３上のトナー層厚を一定の厚みに規制すると同時に、トナーに電荷を与える役割も兼ねている。これら符号３〜６の各ユニットで現像装置７が構成されている。
【００１０】
本発明では、トナー散らし部材８を設けている。トナー散らし部材８は、帯電ブラシローラ２の下流側に配置され、支持体８−１の両側に毛ブラシ８−２が保持された構成である。
【００１１】
トナー散らし部材８は、感光体１に接触し、感光体１上のトナー像を散らす作用をする。帯電ブラシローラ２の下流側の転写残トナーは、帯電ブラシローラ２によりチャージされ、感光体１とトナーが両方同電位になって、トナーの感光体１への付着力を弱くしており、トナー散らし部材８によってトナーを散らしやすくしている。
【００１２】
これにより転写残トナーの感光体１との付着力が著しく弱められ、現像ローラ３でのトナー回収能力が飛躍的に向上することになり、回収能力不足による残像等の異常画像の発生が防止できる。
【００１３】
またトナー散らし部材８は、支持体８−１の両側に毛ブラシ８−２が保持され、かつユーザが簡単に着脱可能としてあるので、汚れ等で交換する必要が生じた場合、反転することで対応可能であり、メンテ性、低コスト化に優れている。毛ブラシは、２個以上の複数個設置することも可能である。
【００１４】
転写ローラ９は、感光体１上に形成されたトナー像を用紙へ転写する役割をする。なおトナー散らし部材８は、帯電ブラシローラ２の下流側で、露光位置Ｐより上流側に配置することがよい。これにより、露光前にトナー像が均一に散らされるので、残像トナーで露光が遮られ、光量不足による濃度不良を生じることがなくなる。
【００１５】
次に作像動作について説明する。まず、感光体１が、帯電ブラシローラ２により、一定電圧に帯電される。次の露光手段Ｌで画像に相当する部分に光が照射され、静電潜像が形成される。さらに、次の現像装置７において、現像ローラ３により先の静電潜像部にトナーが付着し、トナー像が形成される。
【００１６】
次にここには図示されない給紙部より用紙が送られ、転写部で画像先端部と用紙先端部が一致するようにタイミング制御され、感光体１のトナー像が、用紙に転写される。トナー像が転写された用紙は、ここには図示されない定着装置へ送られ、加圧及び加熱され、コピーとして排出される。
【００１７】
転写ローラ部で、用紙側に転写されずに感光体面に残留した転写残トナーは、帯電ブラシローラ２の下流側に配置されたトナー散らし部材８を通過する。これによって、転写残トナーは十分に感光体１上に散らされ、トナー層厚の不均一が解消され、均一化される。
【００１８】
感光体１は、帯電ブラシローラ２で一定電圧に帯電され、転写残トナーは、分散均一化されるので、感光体面が肉眼で見えるレベルになり、次の露光工程では、露光部が適正電位に下げられ、静電潜像の形成は支障なく行われる。よって、次の現像工程では、現像ローラ３と感光体１との接触部において、転写残トナーは現像ローラ３に回収され、感光体１上に形成された静電潜像部には潜像の電位に従ってトナーが供給され、良好なトナー像が形成される。
【００１９】
【発明の効果】
以上説明したように、請求項１記載の発明によれば、感光体の周囲に、帯電手段、露光手段、現像手段、転写手段を配置した作像装置において、帯電手段の下流側で、かつ露光位置の上流側に転写残トナー像を散らすトナー散らし部材を設けている。そしてこの位置の転写残トナーは、帯電手段によりチャージされているため、感光体とトナーが両方とも同電位であり、トナーの感光体への付着力が弱く、トナー散らし部材によってトナーを散らしやすくなっている。これにより転写残トナーの感光体との付着力が著しく弱められるので、現像手段でのトナー回収能力が飛躍的に向上することになり、回収能力不足による残像等の異常画像の発生が防止できる。
【００２０】
請求項２記載の発明によれば、トナー散らし部材は、本体に対して着脱自在であり、支持体とその両側に取り付けた毛ブラシから構成されるので、汚れ等で交換する必要が生じた場合、反転することで対応可能であり、メンテ性に優れ、低コスト化を図ることができる。
【図面の簡単な説明】
【図１】本発明の実施の形態に係る作像装置の構成図である。
【符号の説明】
１　感光体
２　帯電ブラシローラ（帯電手段）
３　現像ローラ
４　トナー補給ローラ
５　アジテータ
６　現像ブレード
７　現像装置（現像手段）
８　トナー散らし部材
９　転写ローラ（転写手段）
Ｌ　露光手段
Ｐ　露光位置
【図１】
2004053844.tif 000003